(57)【要約】    【課題】  分離・定量対象物質やそれ以外の物質による非特異吸着を抑制することができ、保持時間や測定値の経時による変動が生じ難く、カラムの耐久性を高め得るイオン交換液体クロマトグラフィー用充填剤、並びにヘモグロビンＡ１ｃの分離・定量に好適なイオン交換液体クロマトグラフィー用充填剤を提供する。    【解決手段】  イオン交換基を有する充填剤粒子表面に、等電点が３〜７の範囲にある蛋白質が共有結合により固定化されている、イオン交換液体クロマトグラフィー用充填剤、上記イオン交換液体クロマトグラフィー用充填剤が、ヘモグロビンＡ１ｃの分離・定量に用いられるものである、イオン交換液体クロマトグラフィー用充填剤。【選択図】      なし【特許請求の範囲】
【請求項１】
イオン交換基を有する充填剤粒子表面に等電点が３〜７の範囲にある蛋白質を共有結合により固定化したことを特徴とするイオン交換液体クロマトグラフィー用充填剤。
【請求項２】
前記充填剤粒子のイオン交換基がスルホン酸基であることを特徴とする、請求項１に記載のイオン交換液体クロマトグラフィー用充填剤。
【請求項３】
前記蛋白質の共有結合による固定化が、ジアルデヒド化合物を用いて行なわれている、請求項１または２に記載のイオン交換液体クロマトグラフィー用充填剤。
【請求項４】
ヘモグロビンＡ１ｃの分離・定量に用いられる請求項１〜３のいずれか１項に記載のイオン交換液体クロマトグラフィー用充填剤。
【請求項５】
請求項１〜３のいずれか１項に記載のイオン交換液体クロマトグラフィー用充填剤を用いたＡ１ｃの分離・定量法。
【発明の詳細な説明】
【技術分野】
【０００１】
本発明は、液体クロマトグラフィー用充填剤に関し、特に、強度の低下を招くことなく親水性が高められており、さらにブロッキング蛋白質の脱離が生じ難いイオン交換液体クロマトグラフィー用充填剤に関する。
【背景技術】
【０００２】
イオン交換液体クロマトグラフィー法は、糖化ヘモグロビン類の分析をはじめとして、各種生体関連物質の分離分析に極めて有効な方法である。糖化ヘモグロビン（以下、ヘモグロビンＡ１ｃと略す）とは、血液中の糖がヘモグロビンのα鎖Ｎ末端と化学的に結合したものであり、ヘモグロビンＡ１ｃが占める割合、すなわち、糖化ヘモグロビンと非糖化ヘモグロビンとの合計に対する糖化ヘモグロビンの割合は、１〜２ヶ月の期間の血糖値の平均を反映すると言われている。そのため、ヘモグロビンＡ１ｃが占める割合を示すヘモグロビンＡ１ｃ値（％）は、血糖値と異なり、一時的な変動を示さないため、糖尿病診断の指標として広く用いられている。
【０００３】
これまで、イオン交換液体クロマトグラフィー法に用いられる充填剤としては、シリカ系化合物からなる基剤にイオン交換基を導入したもの、有機合成高分子からなる架橋性粒子にイオン交換基含有化合物を反応して得られたもの（特許文献１）、あるいは架橋性単量体とイオン交換基含有化合物とを反応させて得られたもの（特許文献２、特許文献３など）などが知られている。
【０００４】
上記充填剤において、イオン交換基以外の基剤部分は、膨潤や収縮を避けるために、より架橋度の高い粒子であることが望ましい。しかしながら、架橋度を高めると、親水性が低下するため、蛋白質などの非特異吸着を引き起し、測定精度が低下するという問題があった。
【０００５】
他方、上記非特異吸着を抑制するために、親水性の単量体を多く含有させることなどにより、親水性を高めると、上述したように膨潤や収縮が生じがちとなる。従って、高流速下における分析ができなくなったり、複数の溶離液を用いた場合の平衡化が遅れたりし、測定の遅延を招くという問題があった。
【０００６】
また、上記のような問題を解決する方法として、下記の特許文献４には、イオン交換基を有する充填剤粒子表面に親水基を有する化合物として蛋白質を物理吸着により固定化する方法が開示されている。
【特許文献１】特開平１−２６２４６８号公報
【特許文献２】特公昭６３−５９４６３号公報
【特許文献３】特公平８−７１９７号公報
【特許文献４】特開２００１−９１５０５号公報
【発明の開示】
【発明が解決しようとする課題】
【０００７】
しかしながら、特許文献４に記載のように、物理吸着法によりブロッキング蛋白質が固定化されている場合、使用初期の段階では性能は維持されるものの、長期間使用しているうちに充填剤粒子表面からブロッキング蛋白質が脱離しがちであった。そのため、保持時間や測定値が変動するという問題があった。
【０００８】
本発明の目的は、上述した従来技術の問題点に鑑み、膨潤や収縮性を生じさせることな
く親水性を高めることができ、かつ蛋白質などの非特異吸着を抑制することができ、すなわち測定精度を高めることができ、さらに長期間に渡り使用した場合でもブロッキング蛋白質の脱離が生じ難く、性能を維持することができるイオン交換液体クロマトグラフィー用充填剤を提供することにある。
【０００９】
本発明の他の目的は、膨潤や収縮を生じさせることなく親水性を高めることができ、かつヘモグロビンＡ１ｃの分離・定量に好適に用いられ、ヘモグロビンＡ１ｃや他のヘモグロビン類の非特異吸着を抑制することができ、さらに長期間に渡り使用した場合であってもブロッキング蛋白質の脱離が生じ難く、性能を維持することができるイオン交換液体クロマトグラフィー用充填剤を提供することにある。
【課題を解決するための手段】
【００１０】
本発明は、イオン交換基を有する充填剤粒子表面に等電点が３〜７の範囲にある蛋白質を共有結合により固定化したことを特徴とするイオン交換液体クロマトグラフィー用充填剤である。
【００１１】
本発明に係るイオン交換液体クロマトグラフィー用充填剤では、好ましくは、充填剤粒子のイオン交換基はスルホン酸基である。
【００１２】
また、本発明に係るイオン交換液体クロマトグラフィー用充填剤のある特定の局面では、上記蛋白質の共有結合による固定化は、ジアルデヒド化合物を用いて行なわれている。
【００１３】
本発明に係るイオン交換液体クロマトグラフィー用充填剤は、様々な物質の分析に用いられ得るが、特に、ヘモグロビンＡ１ｃの分離・定量に好適に用いられる。すなわち、本発明のある特定の局面では、ヘモグロビンＡ１ｃの分離・定量用のイオン交換液体クロマトグラフィー用充填剤が提供される。
【発明の効果】
【００１４】
本発明に係るイオン交換液体クロマトグラフィー用充填剤では、充填剤粒子表面に等電点が３〜７の範囲にある蛋白質が共有結合により固定化されている。従って、ブロッキング蛋白質となる上記蛋白質が充填剤粒子表面に強固に固定化されているため、長期間に渡って、ブロッキング蛋白質の脱離が生じ難い。よって、蛋白質などの測定対象物質または非測定対象物質や、試料中の夾雑物質などの非特異吸着を継続的かつ確実に抑制することができ、従って、保持時間及び測定値のばらつきが少なくなり、さらにカラムの耐久性を高めることが可能となる。
【００１５】
上記充填剤のイオン交換基がスルホン酸基である場合には、上記性能をより効果的に発現することができる。
【００１６】
蛋白質の共有結合による固定化は、様々な化合物を用いて行なわれるが、ジアルデヒド化合物を用いて行なわれる場合には、蛋白質を構成するアミノ酸の側鎖のアミノ基を充填剤粒子表面に容易に結合させることができる。
【００１７】
本発明においては、特にヘモグロビンＡ１ｃの分離・定量に用いられる場合、ヘモグロビンＡ１ｃや他のヘモグロビン類の非特異吸着を効果的に抑制することができ、ヘモグロビンＡ１ｃの保持時間のばらつきを効果的に低減することができる。
【発明を実施するための最良の形態】
【００１８】
本発明において、上記充填剤粒子はイオン交換液体クロマトグラフィー用として用いられる充填剤粒子であれば特に限定されず、陽イオン交換基を有するものであってもよく、
陰イオン交換基を有するものであってもよい。陽イオン交換基としては、例えば、カルボキシル基、リン酸基、スルホン酸基などが挙げられ、陰イオン交換基としては、例えば、３級もしくは４級アミノ基などが挙げられる。特に好ましくは、スルホン酸基を有する充填剤粒子が用いられ、それによって性能をより長期間に渡って維持することができる。
【００１９】
上記イオン交換基を有する充填剤粒子の調製方法は特に限定されず、例えば、粒子にイオン交換基を導入する方法、あるいはイオン交換基を有する単量体を重合して粒子とする方法などを用いることができる。
【００２０】
上記粒子としては、例えば、シリカ、ジルコニアなどの無機系粒子や、高分子粒子などの有機系粒子が挙げられ、高分子粒子としては、セルロース、ポリアミノ酸、キトサンなどの天然高分子粒子や、ポリスチレン、ポリアクリル酸エステルなどの合成高分子粒子などを挙げることができる。中でも、合成高分子粒子を用いる場合には、耐圧性及び耐膨潤性を高めるために、架橋度の高い合成高分子粒子を用いることが望ましい。
【００２１】
上記粒子にイオン交換基を導入する方法としては、特に限定されず、公知の方法を用いることができる。高分子粒子の場合では、例えば、官能基を有する高分子粒子を調製した後、その後官能基にイオン交換基を有する化合物を化学反応によって導入する方法、または、イオン交換基を有する単量体と、架橋性単量体とを混合し、重合開始剤の存在下で重合し、粒子とする方法などが用いることがきる。また、特公平８−７１９７号公報に記載のように、架橋性重合体粒子を調製した後、イオン交換基を有する単量体を添加し、重合体粒子の表面付近にイオン交換基を有する単量体を重合させる方法を用いてもよい。また、（メタ）アクリル酸メチルや（メタ）アクリル酸エチルなどの重合性エステル化合物を架橋性単量体などと混合し、重合開始剤の存在下で重合した後、得られた粒子を加水分解処理し、エステル化合物を陽イオン交換基に変換させてもよい。
【００２２】
本発明で用いられる充填剤粒子の平均粒径（直径）は、０．１〜２０μｍであることが好ましい。また、粒度分布は、ＣＶ値（標準偏差÷平均粒径×１００）で４０％以下が好ましく、１５％以下がより好ましい。平均粒径が０．１μｍ未満では、カラム内が高圧になりすぎ、分離不良を起こすことがあり、２０μｍを超えると、カラム内のデッドボリュームが大きくなりすぎ、分離不良を起こすことがあり、また、ＣＶ値が４０％を超えても、カラム内のデッドボリュームが大きくなりすぎ、分離不良を起こすことがある。
【００２３】
本発明に係るイオン交換液体クロマトグラフィー用充填剤では、上記充填剤粒子表面に、等電点３〜７の範囲にある蛋白質が共有結合により固定化されている。
【００２４】
本発明において、上記等電点とは、蛋白質などのような両性電解質において、分子全体の電荷が±０になるｐＨである。
【００２５】
上記等電点が３〜７の範囲にある蛋白質としては、等電点が３〜７の範囲にある水溶性の蛋白質であれば特に限定されない。上記蛋白質は、糖蛋白質であってもよい。
【００２６】
具体的には、上記蛋白質としては、フェチュイン（等電点３．２〜３．８）、カゼイン（等電点４．６）、血清アルブミン（等電点４．７〜５．２）、ゼラチン（等電点５．０）、フィブリノーゲン（等電点５．５〜５．８）、ヘモグロビン（等電点６．８〜７．０）、γ−グロブリン（等電点７．０）等が挙げられる。好ましくは、等電点が４〜６の範囲にある蛋白質である、カゼイン、ウシ血清アルブミン（ＢＳＡ）またはフィブリノーゲンが好適に用いられる。
【００２７】
なお、等電点が７を越える蛋白質を用いた場合には、充填剤粒子表面への吸着性が高く
なり、その結果ピークのブロード化を招き、測定精度が低下することがある。逆に、等電点が３未満の蛋白質を用いた場合には、充填剤表面と蛋白質の静電的な反発により、固定化反応の進行が阻害され易くなる。上記理由により、上記等電点が４〜６の範囲にある蛋白質がより一層好適に用いられる。
【００２８】
本発明においては、上記蛋白質が共有結合により充填剤粒子表面に固定化される。そのため、蛋白質を充填剤粒子表面に共有結合により固定化するためには、充填剤粒子表面は官能基を有する必要がある。このような官能基としては、特に限定されないが、例えば、ヒドロキシル基、カルボキシル基、アミノ基、イソシアネート基、グリシジル基、ヒドラジド基などが挙げられる。これらの官能基は１種のみが用いられてもよく、複数種用いられてもよい。
【００２９】
上記のような官能基を用い、１）縮合剤による直接的結合による固定化、２）架橋剤を用いた間接的結合による固定化、あるいは３）ある条件下にて官能基と蛋白質とを直接反応させて固定化する方法などを利用することができる。
【００３０】
例えば、官能基がカルボキシル基の場合には、縮合剤として水溶性カルボジイミドを用いることにより蛋白質を充填剤粒子表面に結合することができる。また、上記官能基がアミノ基の場合には、グルタルアルデヒドを用いることにより、蛋白質を充填剤粒子表面に固定化することができる。
【００３１】
好ましくは、蛋白質の固定化は、グルタルアルデヒドのようなジアルデヒド化合物を用いて行なわれ、それによって蛋白質を充填剤粒子表面に容易に結合することができる。
【００３２】
上記官能基の導入方法は特に限定されず、任意の方法を用いることができる。例えば、充填剤粒子を構成するのに用いられる単量体として官能基含有単量体を用意し、該官能基含有単量体を重合することにより充填剤粒子を得る方法、あるいは高分子の充填剤粒子を調整した後、官能基を化学反応により表面に導入する方法などが挙げられる。
【００３３】
上記蛋白質の固定化量については、要求される性能に合わせて適宜決定すればよい。もっとも、蛋白質の固定化量が多過ぎると、イオン交換能が低下するおそれがある。逆に、蛋白質の固定化量が少な過ぎると、蛋白質によるブロッキング効果が低下し、非特異吸着が生じ易くなり、測定値がばらつくおそれがある。特に、本発明に係るイオン交換液体クロマトグラフィー用充填剤が、ヘモグロビンＡ１ｃの分離・定量に用いられる場合には、上記蛋白質の固定化量が少な過ぎると、ヘモグロビンＡ１ｃや他のヘモグロビン類の非特異吸着が起こり易くなり、測定値がばらつくおそれがある。
【００３４】
蛋白質の適当な固定化量は、充填剤粒子１ｇ当り、乾燥重量で０．０５〜１．０ｍｇであり、より好ましくは、０．１〜０．５ｍｇである。
【００３５】
なお、上記蛋白質の固定化量とは、充填剤粒子表面に蛋白質を共有結合により固定化した後、未反応の蛋白質を含む溶液を吸引濾過により除去し、さらに洗浄を十分に行なった後、ケルダール法により窒素原子の定量により求められた値である。
【００３６】
本発明におけるイオン交換液体クロマトグラフィー用充填剤は、様々な生化学物質の分離・定量に用いられ、上記のように等電点が３〜７の範囲にある蛋白質が共有結合により固定化されているため、経時による保持時間のばらつきが少なく、従って測定値のばらつきを低減することができ、かつカラムの耐久性を効果的に高めることができる。この場合、分離・定量対象物質は特に限定されないが、例えば、ヘモグロビンＡ１ｃの分離・定量に本発明に係るイオン交換液体クロマトグラフィー用充填剤は好適に用いられ、ヘモグロ
ビンＡ１ｃや他のヘモグロビン類の非特異吸着による保持時間や測定値のばらつきを効果的に抑制することができる。
【００３７】
次に、具体的な実施例及び比較例を説明することにより本発明を説明する。
【００３８】
＜実施例１＞
（充填剤の調製）
２−アクリルアミド−２−メチルプロパンスルホン酸２００ｇ、ジエチレングリコールジメタクリレート４００ｇ、２−ヒドロキシ−１，３−ジメタクリロキシプロパン８０ｇおよびベンゾイルパーオキサイド１．５ｇを混合し、２．５Ｌの４重量％ポリビニルアルコール水溶液に分散させた。これを窒素雰囲気下で撹拌しながら昇温し、８０℃で８時間重合した。重合後、洗浄・分級して平均粒径８μｍの充填剤粒子を得た。
【００３９】
（表面処理）
上記充填剤粒子のヒドロキシル基に塩基性条件下で硫酸水素−２−アミノエチルを作用させ、表面にアミノ基を有する充填剤粒子を得た。この充填剤粒子２０ｇに５重量％グルタルアルデヒドを含む炭酸緩衝液（ｐＨ９．５）７５ｍＬを加え、２分間超音波処理し、４０℃恒温水槽中で１．５時間撹拌し、充填剤粒子表面にアルデヒド基を導入した。反応終了後、純水で十分洗浄し、炭酸緩衝液（ｐＨ９．５）中に溶解させた１重量％ウシ血清アルブミン（ＢＳＡ）溶液２００ｍＬを加え、２分間超音波処理し、４０℃恒温水槽中で２時間反応させた。反応終了後、反応溶液として用いた炭酸緩衝液（ｐＨ９．５）にて十分洗浄を行い、充填剤粒子表面にＢＳＡが固定化されたイオン交換液体クロマトグラフィー用充填剤を得た。このときのＢＳＡ固定化量は、充填剤粒子１ｇあたり（乾燥重量）、０．３０ｍｇであった。
【００４０】
＜実施例２＞
（充填剤の調製）
２−アクリルアミド−２−メチルプロパンスルホン酸２００ｇ、ジエチレングリコールジメタクリレート４００ｇ、２−ヒドロキシ−１，３−ジメタクリロキシプロパン８０ｇおよびベンゾイルパーオキサイド１．５ｇを混合し、２．５Ｌの４重量％ポリビニルアルコール水溶液に分散させた。これを窒素雰囲気下で撹拌しながら昇温し、８０℃で８時間重合した。重合後、洗浄・分級して平均粒径８μｍの充填剤粒子を得た。
【００４１】
（表面処理）
上記充填剤粒子のヒドロキシル基に塩基性条件下で硫酸水素−２−アミノエチルを作用させ、表面にアミノ基を有する充填剤粒子を得た。この充填剤粒子２０ｇに５重量％グルタルアルデヒドを含む炭酸緩衝液（ｐＨ９．５）７５ｍＬを加え、２分間超音波処理し、４０℃恒温水槽中で１．５時間撹拌し、充填剤粒子表面にアルデヒド基を導入した。反応終了後、純水で十分洗浄し、炭酸緩衝液（ｐＨ９．５）中に溶解させた１重量％カゼイン溶液２００ｍＬを加え、２分間超音波処理し、４０℃恒温水槽中で２時間反応させた。反応終了後、反応溶液として用いた炭酸緩衝液（ｐＨ９．５）にて十分洗浄を行い、充填剤粒子にカゼインが固定化されたイオン交換液体クロマトグラフィー用充填剤を得た。このときのカゼイン固定化量は、充填剤粒子１ｇあたり（乾燥重量）、０．３０ｍｇであった。
【００４２】
＜実施例３＞
（充填剤の調製）
２−アクリルアミド−２−メチルプロパンスルホン酸２００ｇ、ジエチレングリコールジメタクリレート４００ｇ、２−ヒドロキシ−１，３−ジメタクリロキシプロパン８０ｇおよびベンゾイルパーオキサイド１．５ｇを混合し、２．５Ｌの４重量％ポリビニルアル
コール水溶液に分散させた。これを窒素雰囲気下で撹拌しながら昇温し、８０℃で８時間重合した。重合後、洗浄・分級して平均粒径８μｍの充填剤粒子を得た。
【００４３】
（表面処理）
上記充填剤粒子のヒドロキシル基に塩基性条件下で硫酸水素−２−アミノエチルを作用させ、表面にアミノ基を有する充填剤粒子を得た。この充填剤粒子２０ｇに５重量％グルタルアルデヒドを含む炭酸緩衝液（ｐＨ９．５）７５ｍＬを加え、２分間超音波処理し、４０℃恒温水槽中で１．５時間撹拌し、充填剤粒子表面にアルデヒド基を導入した。反応終了後、純水で十分洗浄し、炭酸緩衝液（ｐＨ９．５）中に溶解させた１重量％フィブリノーゲン溶液２００ｍＬを加え、２分間超音波処理し、４０℃恒温水槽中で２時間反応させた。反応終了後、反応溶液として用いた炭酸緩衝液（ｐＨ９．５）にて十分洗浄を行い、充填剤粒子にフィブリノーゲンが固定化されたイオン交換液体クロマトグラフィー用充填剤を得た。このときのフィブリノーゲン固定化量は、充填剤粒子１ｇあたり（乾燥重量）、０．３５ｍｇであった。
【００４４】
＜比較例＞
（充填剤の調製）
２−アクリルアミド−２−メチルプロパンスルホン酸２００ｇ、ジエチレングリコールジメタクリレート４００ｇ、テトラメチロールプロパントリアクリレート８０ｇおよびベンゾイルパーオキサイド１．５ｇを混合し、２．５Ｌの４重量％ポリビニルアルコール水溶液に分散させた。これを窒素雰囲気下で撹拌しながら昇温し、８０℃で８時間重合した。重合後、洗浄・分級して平均粒径８μｍの充填剤粒子を得た。
【００４５】
（表面処理）
上記充填剤粒子２０ｇにリン酸緩衝液（ｐＨ５．７）に溶解させた０．２重量％ＢＳＡ２００ｍＬを加え、２分間超音波処理し、８０℃の恒温水槽中で２４時間ゆるやかに撹拌したのち、恒温水槽から取り出し、室温になるまで放置した。その後、遠心分離にて上清を除去し、そこにリン酸緩衝液（ｐＨ８．５）を２００ｍＬ添加し、再度遠心分離により上清を除去した。そこにリン酸緩衝液（ｐＨ５．７）を２００ｍＬ添加し、再々度遠心分離にて上清を除去し、充填剤粒子に物理吸着によりＢＳＡが固定化されたイオン交換液体クロマトグラフィー用充填剤を得た。
【００４６】
＜ヘモグロビンＡ１ｃ測定における測定値変動の評価（耐久性評価）＞
上記実施例１〜３及び比較例で調製されたイオン交換液体クロマトグラフィー用充填剤を液体クロマトグラフィーシステムのカラムに充填し、後述の要領で用意された試料を以下のシステム及び測定条件で測定した。
【００４７】
システム：送液ポンプ  ＬＣ−９Ａ（島津製作所社製）
オートサンプラー  ＡＳＵ―４２０（積水化学工業社製）
検出器  ＳＰＤ−６ＡＶ（島津製作所社製）
溶離液：第１液  １７０ｍｍｏｌ／Ｌリン酸緩衝液（ｐＨ５．７）
第２液  ３００ｍｍｏｌ／Ｌリン酸緩衝液（ｐＨ８．５）
溶出法：０〜３分は第１液を、３〜３．２分は第２液を、３．２〜４分は第１液にて溶出
流速：１．０ｍＬ／分
検出波長：４１５ｎｍ
試料注入量：１０μＬ
健常人血をＮａＦ採血し、溶血希釈液（０．１重量％トリトンＸ−１００を含有するリン酸緩衝液（ｐＨ７．０））で溶血し、１５０倍に希釈したものを負荷検体として１日に３００検体を測定し、その前後に、グリコＨｂコントロールレベル２（国際試薬社製）を
２００μＬの注射用水で溶解した後、希釈液（０．１％トリトンＸ−１００を含有するリン酸緩衝液（ｐＨ７．０））で１００倍に希釈したものを測定試料として上述の条件でヘモグロビンＡ１ｃの測定を１０回連続で行い、その平均値を測定値とした。本試験の評価は、Ａ１ｃ値とＡ１ｃ成分の保持時間により行い、それぞれの結果を表１、表２に示した。
【００４８】
【表１】
2005233905.tif 000002
【００４９】
【表２】
2005233905.tif 000003
【手続補正書】
【提出日】平成17年2月23日(2005.2.23)
【手続補正１】
【補正対象書類名】明細書
【補正対象項目名】０００８
【補正方法】変更
【補正の内容】
【０００８】
本発明の目的は、上述した従来技術の問題点に鑑み、膨潤や収縮を生じさせることなく親水性を高めることができ、かつ蛋白質などの非特異吸着を抑制することができ、すなわち測定精度を高めることができ、さらに長期間に渡り使用した場合でもブロッキング蛋白質の脱離が生じ難く、性能を維持することができるイオン交換液体クロマトグラフィー用充填剤を提供することにある。
【手続補正２】
【補正対象書類名】明細書
【補正対象項目名】００４８
【補正方法】変更
【補正の内容】
【００４８】
【表１】
2005233905.tif 000004
【手続補正３】
【補正対象書類名】明細書
【補正対象項目名】００４９
【補正方法】変更
【補正の内容】
【００４９】
【表２】
2005233905.tif 000005